(57)【要約】【課題】  水中で切断対象を切断する時に発生した切り粉をサイクロン式捕集機で効率的に捕集する。【解決手段】  上記の課題を解決するため、本発明の水中切断時の切り粉捕集方法は、水中で切断対象２を切断した時に発生する切り粉をサイクロン式捕集機２６で捕集する方法であって、切断開始前に切断対象２の表面を吸着剤層３２で覆う被覆工程と、前記吸着剤層３２で覆った前記切断対象２を切断する切断工程と、該切断工程で発生した水中浮遊物を捕集する捕集工程と、を有するものとした。【選択図】  図４
2018075547.tif 000002
【特許請求の範囲】
【請求項１】
水中で切断対象を切断した時に発生する切り粉をサイクロン式捕集機で捕集する方法であって、
切断開始前に切断対象の表面を吸着剤層で覆う被覆工程と、
前記吸着剤層で覆った前記切断対象を切断する切断工程と、
該切断工程で発生した水中浮遊物を捕集する捕集工程と、
を有することを特徴とする水中切断時の切り粉捕集方法。
【請求項２】
請求項１に記載の水中切断時の切り粉捕集方法において、
前記吸着剤層とは、
切断対象と同時に切断された時に水に不溶な切断吸着剤片に細断され、
細断された吸着剤片と切り粉が接触すると切り粉は吸着剤片に吸着し、
各吸着剤片は複数の切り粉を吸着した状態で水中浮遊物となる材質であることを特徴とする水中切断時の切り粉捕集方法。
【請求項３】
請求項１または請求項２に記載の水中切断時の切り粉捕集方法において、
前記切断工程は、ウォータージェット切断、または、アブレイシブウォータージェット切断により行われることを特徴とする水中切断時の切り粉捕集方法。
【請求項４】
請求項１または請求項２に記載の水中切断時の切り粉捕集方法において、
前記吸着剤層を、水中で視認しやすい色に彩色した吸着剤で形成したことを特徴とする水中切断時の切り子捕集方法。
【請求項５】
請求項１または請求項２に記載の水中切断時の切り粉捕集方法において、
前記切断工程は、ボーリングにより行われることを特徴とする水中切断時の切り粉捕集方法。
【請求項６】
請求項５に記載の水中切断時の切り粉捕集方法において、
前記ボーリングによる切断工程の後に、ボーリング孔内に残存した切り粉を捕集するために、ボーリング孔内に高圧水を噴射する工程を有することを特徴とする水中切断時の切り粉捕集方法。
【発明の詳細な説明】
【技術分野】
【０００１】
本発明は、切断対象を水中で切断した時に発生する切り粉を効率的に回収する方法に関わり、特に、ウォータージェット切断、アブレイシブウォータージェット切断、あるいは、ボーリングで発生した切り粉をサイクロン式捕集機で効率的に捕集する方法に関わる。
【背景技術】
【０００２】
切断対象を水中で切断した時には、どんな切断法であれ、何らかの切り粉が発生する。例えば、ウォータージェット切断（以下、「ＷＪ切断」と記述）を用いた場合は、切断対象から発生した切り粉が水中に浮遊し、ウォータージェットにアブレイシブ材（研磨材）を添加して噴射するアブレイシブウォータージェット切断（以下、「ＡＷＪ切断」と記述）を用いた場合は、切り粉に加えアブレイシブ材も水中に浮遊する。
【０００３】
これらの水中浮遊物を回収除去する公知技術としては、前段のサイクロンセパレータと後段のフィルタを組み合わせて浮遊物を捕集するものがある。例えば、特許文献１の図１等には、多段式サイクロンセパレータとフィルタの二段階の捕集装置を設けることにより、粒径の小さい浮遊物（切り粉）と粒径の大きい浮遊物（アブレイシブ材）を分けて捕集することや、粒径の小さい浮遊物も前段の多段式サイクロンセパレータで捕集し、後段のフィルタの負荷を低減することで、フィルタ交換作業を軽減し、工数削減等を図る技術が開示されている（同文献の段落００３１など）。
【先行技術文献】
【特許文献】
【０００４】
【特許文献１】特許第４９１９６９４号公報
【発明の概要】
【発明が解決しようとする課題】
【０００５】
上記の従来技術は、多段式サイクロンセパレータの流体出口側にフィルタを設けたことにより、前段の多段式サイクロンセパレータでの小さな粒径の浮遊物の捕集効率を向上させ、後段のフィルタの捕集負荷を低減している。また、フィルタの差圧が大きくなった場合には、逆洗によって差圧が回復できるので、フィルタの交換作業を延期することができる。しかしながら、フィルタの性能を回復するためには、所定時間毎にフィルタの逆洗作業が発生してしまい、その都度、切断作業が中断されてしまうという問題がある。
【０００６】
本発明の目的は、サイクロン式捕集機での小さな粒径の浮遊物（切り粉）の捕集効率を更に向上させる水中切断時の切り粉捕集方法を提供することにある。そして、この結果として、後段のフィルタを省略しても良く、また、後段にフィルタがある場合には、フィルタの交換頻度を低減できる水中切断時の切り粉捕集方法を提供することにある。
【課題を解決するための手段】
【０００７】
上記の課題を解決するため、本発明の水中切断時の切り粉捕集方法は、水中で切断対象を切断した時に発生する切り粉をサイクロン式捕集機で捕集する方法であって、切断開始前に切断対象の表面を吸着剤層で覆う被覆工程と、前記吸着剤層で覆った前記切断対象を切断する切断工程と、該切断工程で発生した水中浮遊物を捕集する捕集工程と、を有するものとした。
【発明の効果】
【０００８】
本発明によれば、水中切断で発生した切り粉をサイクロン式捕集機で捕集するときの捕集効率が向上する。また、サイクロン式捕集機の後段にフィルタがある場合には、フィルタの交換頻度を低減できる。
【図面の簡単な説明】
【０００９】
【図１】沸騰水型原子力発電プラントにおけるシュラウドの一次切断場所と二次切断場所の概略位置関係を示す説明図。
【図２】実施例１における水中切断・切り粉捕集の手順を示すフロー図。
【図３】実施例１における切断対象の表面を吸着剤層で覆う方法の説明図。
【図４】実施例１において切断・切り粉捕集をするときの装置構成を示す説明図。
【図５Ａ】実施例２において海底鉱床を切断し始めるときの概要構成を示す説明図。
【図５Ｂ】実施例２において海底鉱床の切断の継続状況を説明する説明図。
【図５Ｃ】実施例２において切断した海底鉱床表層を採取した状況を説明する説明図。
【図５Ｄ】実施例２において切断した海底鉱床表層を継続採取した状況を説明する説明図。
【図６Ａ】実施例３において海底鉱床の上にボーリングマシンを設置し鉱床の表面を吸着剤で覆う作業を説明する説明図。
【図６Ｂ】実施例３においてビットで鉱床を切削する作業を説明する説明図。
【図６Ｃ】実施例３において所定の深さまで切削してからビットを抜いた状態を説明する説明図。
【図６Ｄ】実施例３においてコアを採取した後のボーリング孔内の切り粉を捕集する方法を説明する説明図。
【発明を実施するための形態】
【００１０】
以下、図面を用いて本発明の実施例を説明する。
【実施例１】
【００１１】
本発明による実施例１の水中切断時の切り粉捕集方法について、図１〜図４を参照しながら説明する。本実施例は、沸騰水型原子力発電プラントのシュラウドを二次切断する際に発生する切り粉をサイクロン式捕集機で効率よく捕集する例である。
【００１２】
まず、図１を用いて、シュラウド１の一次切断場所と二次切断場所の概略位置関係を説明する。原子炉圧力容器３の内部に設置されたシュラウド１を細断する場合、原子炉圧力容器３内で細断するのではなく、ドライヤ・セパレータプール（ＤＳＰ）７に移動させた後、ＷＪ切断やＡＷＪ切断によって細断する方法が採用される。以下では、原子炉圧力容器３からシュラウド１を分離する切断を一次切断と称し、ＤＳＰ７内でシュラウド１を細断する切断を二次切断と称する。
【００１３】
一次切断を行うには、原子炉停止後、原子炉圧力容器３を開放し、ドライヤやセパレータなどの炉内機器を取出し、シュラウド１を分離するための切断加工装置を設置してシュラウド１を一次切断する。その後、切断されたシュラウド１は、天井クレーン８によって原子炉ウェル５を通してＤＳＰ７に移動され、ＤＳＰ７内に配置した架台９の上に設置される。ＤＳＰ７にシュラウド１を設置すると、ゲートが封鎖され原子炉ウェル５とＤＳＰ７が隔離される。
【００１４】
その後、ＤＳＰ７では、後述する本実施例の水中切断時の切り粉捕集方法を用いてシュラウド１が二次切断される。そして、ＷＪ切断やＡＷＪ切断により、二次切断されたシュラウドは、遮蔽能力を有する輸送容器に格納され、ＤＳＰ７から引き揚げられ、図示しないサイトバンカプールで保管される。
【００１５】
次に、図２のフローチャートと図３、図４を用いて、本実施例の二次切断を詳細に説明する。まず、切断対象のシュラウド１を切断場所（架台９の上）に設置したら（Ｓ１）、次に、シュラウド１の表面を吸着剤で覆う被覆工程を実行する（Ｓ２）。
【００１６】
図３はシュラウド１の表面を吸着剤層３２で被覆する工程を説明する斜視図である。ここに示すように、シュラウド１の上端に薄い金属性の型枠３１を設置して、吸着剤の原液を流し込んで反応させることで、シュラウド１の表面に吸着剤層３２を形成する。ここで用いられる吸着剤は、表面に接触した切り粉を吸着する性質の物質である。また、水中で不溶であって、表面が粘着性を持つものであり、具体的には、でんぷんや、洗濯糊と硼砂からなるスライムなどで形成されるものである。
【００１７】
図４に、ＤＳＰ７内でのシュラウド１の二次切断作業の装置構成を示す。図３に示すように、架台９上に設置したシュラウド１の切断部表面は吸着剤層３２で覆われている。切断装置２１で加圧した高圧水、または、アブレイシブ材添加の高圧水を、走査機構２２の先端に取付けた切断ノズル２３から噴射し、吸着剤層３２の上からシュラウド１をＷＪ切断、または、ＡＷＪ切断する（Ｓ３）。なお、吸着剤層３２が自重で変形しない程度の硬度になっている場合には、型枠３１の一部を取り除いてからＷＪ（ＡＷＪ）切断を行っても良いが、型枠３１の上からＷＪ（ＡＷＪ）切断を行っても良い。
【００１８】
このとき、シュラウド１から発生した切り粉の一部は、吸着剤層３２の切断面に吸着するので吸着剤層３２とともに回収することができる。また、吸着剤層３２が細断された吸着剤片が水中を浮遊しているときに、同じく水中を浮遊している切り粉や他の吸着剤片と接触すると、これらが結合した状態の粒径の大きい浮遊物２４が発生する。
【００１９】
そして、ポンプ２８を駆動すると、粒径が大きくなった浮遊物２４は、水と一緒にコレクタ２５に吸引された後、サイクロン式捕集機２６で沈降分離され、下方の容器２７内に回収される。サイクロン式捕集機２６では、粒径の大きい浮遊物２４ほど沈降しやすいので、本実施例のように、吸着剤を用いて浮遊物２４の結合を促進することで、サイクロン式捕集機２６における切り粉の捕集効率を向上させることができる。すなわち、サイクロン式捕集機２６の後段にフィルタ２９を配置した場合であっても、フィルタ２９の捕集負荷を低減することができる。
【００２０】
ある箇所の切断が終了した場合、予定していた切断が全て終了したかを確認する（Ｓ４）。そして、全ての切断が終了した場合は、シュラウド１の切断作業を終了し、細断したシュラウド１の輸送容器への格納作業を行う。
【００２１】
一方、シュラウド１の切断が残っている場合は、サイクロン式捕集機２６の後段に設置したフィルタ２９が継続使用可能かを確認して（Ｓ５）、継続使用可能であれば次の切断作業を進め、継続使用不可であればフィルタ２９を交換した後に（Ｓ６）、切断作業を再開する。なお、フィルタ２９の目が詰まると差圧が上昇するので、継続使用可否は差圧の監視により判断することができる。
【００２２】
上述した本実施例の水中切断時の切り粉捕集方法によれば、サイクロン式捕集機２６での切り粉の捕集効率が向上しているので、サイクロン式捕集機２６の後段に設置されたフィルタ２９の交換頻度を低減することができる。
【実施例２】
【００２３】
次に、本発明による実施例２の水中切断時の切り粉捕集方法を図５Ａ〜図５Ｄを参照しながら説明する。本実施例は、レアメタルを含む海底鉱床５２をＷＪ切断しながら採掘しているときに、レアメタルを含む切り粉も回収して有効活用する例である。なお、実施例１と共通する点は重複する説明を省略する。
【００２４】
図５Ａは、海底鉱床５２をＷＪ切断するときの装置構成を示す図である。海５１の底にレアメタルを含む海底鉱床５２が存在する場合、海底鉱床５２の上に型枠３１を配置し、その中に吸着剤の原液を流し込んで吸着剤層３２を形成する。なお、本実施例の吸着剤は、海水中でも視認性が良いように、例えば橙色に彩色している。
【００２５】
その後、図示していない切断装置２１で加圧した高圧水を、走査機構２２の先端に取付けた切断ノズル２３から噴射し、吸着剤層３２の上から海底鉱床５２に斜めの切断面を形成する。次に、走査機構２２と切断ノズル２３を、図５Ｂに示す位置に移動し、吸着剤層３２の上から海底鉱床５２に切断面を形成する。
【００２６】
このとき、海底鉱床５２から発生した切り粉の一部は、実施例１と同様に、吸着剤層３２の切断面に吸着するので、吸着剤層３２を回収すれば切り粉も一緒に回収できる。また、吸着剤層３２が細断された吸着剤片が水中を浮遊しているときに、同じく水中を浮遊している切り粉や他の吸着剤片と接触すると、これらが結合した状態の粒径の大きい浮遊物２４が発生する。粒径が大きくなった浮遊物２４は水と一緒にコレクタ２５に吸引された後、サイクロン式捕集機２６で沈降分離され、下方の容器２７内に回収される。サイクロン式捕集機２６では、粒径の大きい浮遊物２４ほど沈降しやすいので、本実施例のように、吸着剤を用いて浮遊物２４の結合を促進することで、サイクロン式捕集機２６における切り粉の捕集効率を向上させることができ、レアメタルの回収率を高めることができるようになる。
【００２７】
図５Ｃは、２次元断面図において、２つの切断面より上側にある切断済み鉱床８１および切断済み吸着剤層８２を採取したところを模式的に示すものである。なお、実際には、鉱床は３次元に広がっているため、少なくとも３以上の切断面が交わった部分の上側の海底鉱床５２と吸着剤層３２が採取対象となる。
【００２８】
図５Ａ〜図５Ｃで示した、ＷＪ切断と鉱床・吸着剤層の採取を繰り返していくと、図５Ｄに模式的に示すように、海底鉱床５２の最上層が採取され、第２層目が露出した状態になる。吸着剤層３２が無い状態で第２層目以降のＷＪ切断を継続すると切り粉の捕集効率が低下するため、海底鉱床５２が露出した部分に吸着剤原液を流し込み、吸着剤層３２を補充する作業を行う。実施例２においては、吸着剤層３２に橙色の彩色がしてあり、海水中でも視認性に優れるので、吸着剤層を採取して鉱床が露出している部分の確認や、吸着剤層が適正に補充されたかどうかの確認が容易となる。
【００２９】
以上で説明した実施例２によれば、実施例１の効果に加え、レアメタルの回収率を向上させることができる。
【実施例３】
【００３０】
次に、本発明による実施例３の水中切断時の切り粉捕集方法を図６Ａ〜図６Ｄを参照しながら説明する。本実施例は、レアメタルを含む海底鉱床５２をコアボーリングで採掘するときに、レアメタルを含む切り粉も回収して有効活用する例である。なお、実施例１または実施例２と共通する点は重複する説明を省略する。
【００３１】
図６Ａは、海底鉱床５２の上にボーリングマシン９３を設置し、海底鉱床５２の表面を吸着剤で覆う作業を説明する説明図である。ここに示すように、海５１の海底にレアメタルを含む海底鉱床５２が存在する場合、着座台９４の傾きを海底地形に合わせて、ボーリングマシン９３を設置する。そして、ボーリングマシン９３の下部から型枠３１を伸展させて堰をつくり、堰内に吸着剤の原液を流し込んで吸着剤層３２を形成する。
【００３２】
その後、図６Ｂに示すように、吸着剤層３２の上から、円筒形の回転コアビット１０２で海底鉱床５２を切削する。海底鉱床５２から発生した切り粉の一部は、吸着剤層３２の切断面に吸着するので、吸着剤層３２を回収すれば切り粉も一緒に回収できる。また、吸着剤層３２が細断された吸着剤片が水中を浮遊しているときに、同じく水中を浮遊している切り粉や他の吸着剤片と接触すると、これらが結合した状態の粒径の大きい浮遊物２４が発生する。粒径が大きくなった浮遊物２４は水と一緒にコレクタ２５に吸引された後、サイクロン式捕集機２６で沈降分離され、下方の容器２７内に回収される。サイクロン式捕集機２６では、粒径の大きい浮遊物２４ほど沈降しやすいので、本実施例のように、吸着剤を用いて浮遊物２４の結合を促進することで、サイクロン式捕集機２６における切り粉の捕集効率を向上させることができ、レアメタルの回収率を高めることができるようになる。
【００３３】
その後、所定の深さまで切削してからコアビットを引抜くと、図６Ｃに示すように、海底鉱床５２の表面に円筒形のコア１０３が形成された状態となる。図示していないマニュピレータでコア１０３を把持し横方向の力を加えると、コア１０３の根元の部分が折れるので、海底鉱床５２からコア１０３を採取することができる。
【００３４】
図６Ｄは、コア１０３を採取した後のボーリング孔１０４内の切り粉を捕集する方法を示す図である。残存した吸着剤層３２の一部を図示しないマニュピレータで掴み取り、掴み取った吸着剤細片を、ボーリング孔１０４に投げ込む。ノズル１０５から高圧水をボーリング孔１０４に向けて噴射すると不規則な脈動流れが発生し、ボーリング孔１０４内に残存していた切り粉が脈動流れに伴って動き出す。複数の切り粉が吸着剤細片に吸着して粒径が大きい浮遊物となった状態で、ボーリング孔１０４の外に舞い出てくる。舞い出てきた浮遊物はコレクタ２５で吸引し、サイクロン式捕集機２６で沈降分離して、容器２７に回収される。このようにすれば、ボーリング孔内に残存した貴重なレアメタルを含む切り粉も、サイクロン式捕集機２６で効率的に捕集して有効活用することが可能となる。
【００３５】
以上で説明した本実施例によっても、上述した実施例２と同様の効果を得ることができる。
【００３６】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成について、他の構成の追加、削除、置換をすることが可能である。
【符号の説明】
【００３７】
１…シュラウド、
３…原子炉圧力容器、
５…原子炉ウェル、
６…燃料プール、
７…ドライヤ・セパレータプール（ＤＳＰ）、
８…天井クレーン、
９…架台、
２１…切断装置、
２２…走査機構、
２３…切断ノズル、
２４…浮遊物、
２５…コレクタ、
２６…サイクロン式捕集機、
２７…容器、
２８…ポンプ、
２９…フィルタ、
３１…型枠、
３２…吸着剤層、
５１…海、
５２…海底鉱床、
８１…切断済み鉱床、
８２…切断済み吸着剤層、
９３…ボーリングマシン、
９４…着座台、
１０２…回転コアビット、
１０３…コア、
１０４…ボーリング孔、
１０５…ノズル
【図１】
2018075547.tif 000003
【図２】
2018075547.tif 000004
【図３】
2018075547.tif 000005
【図４】
2018075547.tif 000006
【図５Ａ】
2018075547.tif 000007
【図５Ｂ】
2018075547.tif 000008
【図５Ｃ】
2018075547.tif 000009
【図５Ｄ】
2018075547.tif 000010
【図６Ａ】
2018075547.tif 000011
【図６Ｂ】
2018075547.tif 000012
【図６Ｃ】
2018075547.tif 000013
【図６Ｄ】
2018075547.tif 000014